(57)【特許請求の範囲】
【請求項１】
内部に屈曲する配線・配管材の配設経路を形成するための屈曲筒状をした屈曲部保護カバーであって、
半割屈曲筒状をした同一形状の単位体が一対一組として互いに嵌合組付けされる屈曲筒状をした複数の組付分割体を備え、
前記組付分割体の配管方向に沿った両端部には、別の組付分割体との係合連結を可能とする係合連結部が形成され、
複数の組付分割体の割面を合致させた状態で、当該複数の組付分割体の連結側の端部どうしを互いに係合連結させることで、内部に前記配線・配管材の配設経路が形成されることを特徴とする屈曲部保護カバー。
【請求項２】
複数の組付分割体が互いに連結された状態において、その配管方向に沿った両端部には、直状の配線・配管材保護カバーの端部が内挿されて接続される接続口がそれぞれ設けられていることを特徴とする請求項１に記載の屈曲部保護カバー。
【請求項３】
各組付分割体の配管方向に沿った両端部には、それぞれ接続口が形成されていることを特徴とする請求項２に記載の屈曲部保護カバー。
【請求項４】
各組付分割体の接続口の内周面は、直状の配線・配管材保護カバーの端部を内挿可能とすべく、軸心が直線状の直筒体の外周面に相当するように、縦断面視で直線状に形成されていることを特徴とする請求項２又は３に記載の屈曲部保護カバー。
【請求項５】
前記係合連結部は、前記単位体の配線・配管材の配設方向に沿った一方の端面に、外部に突設された円弧状の係合突片と、前記単位体の他方の端面の内周面における前記係合突片の形成位置に対して斜め方向に対向する位置に、別の単位体の前記係合突片が係合可能な円弧状の係合溝とで形成されることを特徴とする請求項１ないし４のいずれかに記載の屈曲部保護カバー。
【請求項６】
前記一対一組の単位体を組み付けて形成される組付分割体の割面は、直線状であって、他の組付分割体と係合連結させた状態において、各組付分割体の各割面は、連続した直線状となることを特徴とする請求項１ないし５のいずれかに記載の屈曲部保護カバー。
【請求項７】
前記単位体の周方向の両端部には、互いに嵌合組み付けが可能な嵌合組付凸部、及び嵌合組付凹部が、嵌合組付部全体の全長、及び幅の双方の中点に対して点対称に配置されていることを特徴とする請求項１ないし６のいずれかに記載の屈曲部保護カバー。
【請求項８】
内部に９０°又は４５°に屈曲する配線・配管材の配設経路が形成されて、両端に直状の配線・配管材保護カバーが接続される接続口を有する屈曲部保護カバーであって、
半割屈曲筒状をした同一形状の単位体が一対一組として互いに組付けられることで屈曲筒状の組付分割体が形成され、
前記屈曲部保護カバーは、前記組付分割体の屈曲角度に連結数を乗じることで９０°又は４５°となるように、当該連結数で複数の当該組付分割体を連結することで形成されることを特徴とする屈曲部保護カバー。
【請求項９】
内部に屈曲する配線・配管材の配設経路を形成するための屈曲筒状をした屈曲部保護カバーを構成する単位体であって、
前記単位体は、半割屈曲筒状であって、一対一組の同一形状の単位体が屈曲筒状に嵌合組付けされて組付分割体が形成され、複数の組付分割体が配線・配管材の配設方向に沿って係合連結されることで、屈曲筒状をした屈曲部保護カバーが形成され、
前記単位体は、周方向の両端部に、一対一組の単位体の嵌合組付により組付分割体となる嵌合組付部がそれぞれ形成されていると共に、前記配設方向の両端部に、当該配設方向に沿って配置される別の組付分割体の単位体と係合連結される係合連結部がそれぞれ形成されていることを特徴とする屈曲部保護カバーの単位体。
【発明の詳細な説明】
【技術分野】
【０００１】
本発明は、内部に屈曲する配線・配管材の配設経路を形成するための屈曲筒状をした屈曲部保護カバーに関し、更に詳しくは、半割屈曲筒状をした同一形状の４以上の偶数個の単位体を組み付けることで、横断面視及び縦断面視の双方において分割された構成の屈曲部保護カバー、及びその単位体に関するものである。
【背景技術】
【０００２】
エアコンの冷媒管は、筒状をした保護カバー内に配管されて保護され、建物内から外部に排水を排出させる排水管に関しても、露出配管であると建物壁との色合いがマッチせずに美観が害されるのを防止するために、保護カバー内に収容されることがあり、冷媒管又は排水管の屈曲部においては、屈曲筒状をした専用の屈曲部保護カバーが使用される。
【０００３】
屈曲配管に関しては、４５°又は９０°の場合が殆どであって、従来の屈曲部保護カバーは、割面が側面に現れるように、配管方向と直交する横断面視でのみ二分割されて、分割された二つの分割部材を組み付ける構成であった。よって、この構成の屈曲部保護カバーは、屈曲部の内側と外側に二分割されるために、分割された二つの部材の立体形状が著しく異なるため、分割部材の保管時又は運搬時において、嵩張るという問題があった。
【０００４】
一方、特許文献１には、配管方向と直交する横断面視、及び配管方向に沿った縦断面視の双方において二分割されることで、計４つの分割体を組み付ける構成であって、しかも屈曲角度を調整可能な屈曲部保護カバーが開示されている。しかし、この屈曲部保護カバーは、計４つの分割体の形状が全て異なり、横断面視で二分割された各分割体は、一方の分割体に設けられたビス挿通孔に挿通された２本のビスを介して一体に連結されると共に、縦断面視で二分割された各分割体は、屈曲部の内側においてヒンジ連結される構成であり、各分割体の構造が複雑であり、しかも現場において、各分割体を即座に連結することはできないため、配管の作業能率も悪くなるという問題があった。
【先行技術文献】
【特許文献】
【０００５】
【特許文献１】特開２０１０−１４４８６３号公報
【発明の概要】
【発明が解決しようとする課題】
【０００６】
本発明は、同一形状の４以上の偶数個の単位体を係合のみによって組み付けることで、屈曲筒状に形成した屈曲部保護カバーの提供を課題としている。
【課題を解決するための手段】
【０００７】
上記課題を解決するための請求項１の発明は、内部に屈曲する配線・配管材の配設経路を形成するための屈曲筒状をした屈曲部保護カバーであって、
半割屈曲筒状をした同一形状の単位体が一対一組として互いに嵌合組付けされる屈曲筒状をした複数の組付分割体を備え、
前記組付分割体の配管方向に沿った両端部には、別の組付分割体との係合連結を可能とする係合連結部が形成され、
複数組の組付分割体の割面を合致させた状態で、当該複数の組付分割体の連結側の端部どうしを互いに係合連結させることで、内部に前記配線・配管材の配設経路が形成されることを特徴としている。
【０００８】
請求項１の発明によれば、単位体は、屈曲筒状体を横断面視で二分割することで、同一形状の半割屈曲筒状をした一対の単位体が得られ、当該単位体の分割端面には、当該一対の単位体を組付け可能とする係合部が形成されている。一対の単位体を、分割端面に形成された係合部を介して一体に組み付けると、屈曲筒状をした組付分割体となり、当該組付分割体の軸心は、屈曲又はわん曲されているため、当該組付分割体の両端面における軸心は、所定の屈曲角度（θ）を有している。組付分割体の両端面の部分には、２つの組付分割体を配線・配管材の配設方向に沿って連結するための係合連結部が形成され、複数組の組付分割体を前記係合連結部を介して前記配設方向に沿って連結すると、屈曲筒状をした屈曲部保護カバーとなる。屈曲部保護カバーの軸心の屈曲角度は、１つの組付分割体の屈曲角度（θ）に組付分割体の連結数（Ｎ）を乗じた値（Ｎ×θ）となる。
【０００９】
このように、請求項１の発明に係る屈曲部保護カバーは、半割屈曲筒状をした一対の単位体を組み付けて屈曲筒状の組付分割体とし、複数組の組付分割体を配線・配管材の配設方向に沿って係合連結することで、１つの組付分割体の屈曲角度（θ）に組付分割体の連結数（Ｎ）を乗じた屈曲角度（Ｎ×θ）を有していて、組付分割体の割面は、屈曲方向に対して内外に存在する屈曲部保護カバーが、同一形状の４以上の偶数個の単位体の組み付けのみによって得られる。このように、請求項１の発明に係る屈曲部保護カバーは、連結具であるビス類を一切使用することなく、半割屈曲筒状をした同一形状の単位体の周方向、及び軸心方向の各の両端部に形成された嵌合組付部、及び係合連結部を利用した組付け、又は連結のみにより、形成されるので、組付け時において、必要に応じて、同一の単位体の反転配置を行うのみで、異なる部材の選択の必要がなくなるため、組み付けを誤りなく迅速に行える。また、多数の単位体の保管・運搬時には、半割屈曲筒状をした多数の単位体を積み重ねることで、嵩張ることなく箱類に収容できるため、多数の単位体の保管・運搬が容易となる。また、単位体の組付け時においては、積み重ねられた多数の単位体を取り出しながら、必要に応じて反転させることで、４以上の偶数個の単位体を一層迅速に組み付けて、屈曲筒状をした屈曲部保護カバーにすることができる。
【００１０】
請求項２の発明は、請求項１の発明において、複数の組付分割体が互いに連結された状態において、その配管方向に沿った両端部には、直状の配線・配管材保護カバーの端部が内挿されて接続される接続口がそれぞれ設けられていることを特徴としている。
【００１１】
請求項２の発明によれば、配線・配管材の直状部を保護する直状保護カバーの端部を、配線・配管材の屈曲部を保護している屈曲部保護カバーの両端部の接続口に内挿することで、屈曲部保護カバーと直状保護カバーとが接続される。
【００１２】
請求項３の発明は、請求項２の発明において、各組付分割体の配管方向に沿った両端部には、それぞれ接続口が形成されていることを特徴としている。
【００１３】
請求項３の発明によれば、各組付分割体には、その両端部に個々に接続口が形成されているので、組付分割体の連結数とは無関係に、複数の組付分割体を連結した屈曲部保護カバーには、その両端に常に接続口が形成されて、屈曲配管を行う配線・配管材の屈曲部の保護を支障なく行える。
【００１４】
請求項４の発明は、請求項２又は３の発明において、各組付分割体の接続口の内周面は、直状の配線・配管材保護カバーの端部を内挿可能とすべく、軸心が直線状の直筒体の外周面に相当するように、縦断面視で直線状に形成されていることを特徴としている。
【００１５】
請求項４の発明によれば、各組付分割体の接続口の内周面は、軸心が直線状の直筒体の内周面のように形成されているため、直状の配線・配管材保護カバーの端部を内挿できて、保護カバーによる配線・配管材の保護作業を支障なく行える。
【００１６】
請求項５の発明は、請求項１ないし４のいずれかの発明において、前記係合連結部は、前記単位体の配線・配管材の配設方向に沿った一方の端面に、外部に突設された円弧状の係合突片と、前記単位体の他方の端面の内周面における前記係合突片の形成位置に対して斜め方向に対向する位置に、別の単位体の前記係合突片が係合可能な円弧状の係合溝とで形成されることを特徴としている。
【００１７】
請求項５の発明によれば、一対の単位体を組み付けて組付分割体とした状態において、当該組付分割体の両端面に形成される各係合突片、及び各係合溝は、周方向に沿った位相が１８０°異なる位置に相対向して配置され、複数の組付分割体を連結する際には、互いに連結される２つの組付分割体のうち、一方の係合突片と他方の係合溝とが、周方向に沿って同一位置に配置されるため、組付分割体の係合連結が確実になると共に、係合連結のための連結作業も容易となる。
【００１８】
請求項６の発明は、請求項１ないし５のいずれかの発明において、前記一対一組の単位体を組み付けて形成される組付分割体の割面は、直線状であって、他の組付分割体と係合連結させた状態において、各組付分割体の各割面は、連続した直線状となることを特徴としている。
【００１９】
組付分割体の割面は、屈曲方向の内外に配置されるため、側面からは視認できず、請求項６の発明は、当該割面は、直線状であって、しかも互いに連結される各組付分割体の各割面は、連続した直線状となっているため、屈曲方向の外側に配置される割面のみが視認されるが、互いに連結される各組付分割体の各割面は、直線状となって連続しているため、見栄えがよい。
【００２０】
請求項７の発明は、請求項１ないし６のいずれかの発明において、前記単位体の周方向の両端部には、互いに嵌合組付が可能な嵌合組付凸部、及び嵌合組付凹部が、嵌合組付部全体の全長、及び幅の双方の中点に対して点対称に配置されていることを特徴としている。
【００２１】
請求項７の発明によれば、前記単位体の周方向の両端部には、互いに嵌合組付が可能な嵌合組付凸部、及び嵌合組付凹部は、嵌合組付部全体の全長、及び幅の双方の中点に対して点対称に配置されているため、一対の単位体を組み付けて組付分割体を形成するには、同一配置された一対の単位体の一方を１８０°反転させた配置状態で組み付けるため、一対の単位体の一方の嵌合組付凸部が、他方の嵌合組付凹部に嵌合する関係となって、一対の半割屈曲筒状をした単位体の周方向の両端部が互いに嵌合されて、屈曲筒状の組付分割体に組み付けられる。また、半割屈曲筒状の多数の単位体は、その保管・運搬時において多少変形されたとしても、上記のようにして一対の単位体を屈曲筒状に組み付けることで、本来の必要な形状に復元される利点もある。
【００２２】
請求項８の発明は、内部に９０°又は４５°に屈曲する配線・配管材の配設経路が形成されて、両端に直状の配線・配管材保護カバーが接続される接続口を有する屈曲部保護カバーであって、
半割屈曲筒状をした同一形状の単位体が一対一組として互いに組付けられることで屈曲筒状の組付分割体が形成され、
前記屈曲部保護カバーは、前記組付分割体の屈曲角度に連結数を乗じることで９０°又は４５°となるように、当該連結数で複数の当該組付分割体を連結することで形成されることを特徴としている。
【００２３】
請求項８の発明によれば、組付分割体の連結数に屈曲角度を乗じた角度が９０°又は４５°になるように、当該組付分割体の屈曲角度が定められる。よって、組付分割体の屈曲角度の適例としては、２２．５°又は１５°が挙げられる。
【００２４】
請求項９の発明は、内部に屈曲する配線・配管材の配設経路を形成するための屈曲筒状をした屈曲部保護カバーを構成する単位体であって、
前記単位体は、半割屈曲筒状であって、一対一組の同一形状の単位体が屈曲筒状に嵌合組付けされて組付分割体が形成され、複数の組付分割体が配線・配管材の配設方向に沿って係合連結されることで、屈曲筒状をした屈曲部保護カバーが形成され、
前記単位体は、周方向の両端部に、一対一組の単位体の嵌合組付により組付分割体となる嵌合組付部がそれぞれ形成されていると共に、前記配設方向の両端部に、当該配設方向に沿って配置される別の組付分割体の単位体と係合連結される係合連結部がそれぞれ形成されていることを特徴としている。
【００２５】
請求項９の発明は、内部に屈曲する配線・配管材の配設経路を形成するための屈曲筒状をした屈曲部保護カバーを構成する単位体を定義したものであって、一対の単位体の周方向の両端部に形成された嵌合組付部により組み付けることで、屈曲筒状の組付分割体が形成され、複数の組付分割体を係合連結部を介して配線・配管材の配設方向に沿って連結することで、組付分割体の屈曲角度に連結数を乗じた屈曲角度を有する屈曲筒状の屈曲部保護カバーが形成される。
【発明の効果】
【００２６】
本発明によれば、半割屈曲筒状をした一対の単位体を組み付けて屈曲筒状の組付分割体とし、複数組の組付分割体を配線・配管材の配設方向に沿って係合連結することで、１つの組付分割体の屈曲角度（θ）に組付分割体の連結数（Ｎ）を乗じた屈曲角度（Ｎ×θ）を有していて、組付分割体の割面は、屈曲方向に対して内外に存在する屈曲部保護カバーが、同一形状の４以上の偶数個の単位体の組み付けのみによって得られる。このため、４以上の偶数個の単位体の組付け時には、特定の単位体の反転配置を行って、係合構造を利用して、一対の単位体の周方向の組付け、及び複数の組付分割体の配線・配管材の配設方向に沿った連結を行うのみで、目的の屈曲部保護カバーが形成できるので、迅速、かつ誤りなく、４以上の偶数個の単位体の組み付けが可能となる。
【００２７】
また、多数の単位体の保管・運搬時には、半割屈曲筒状をした多数の単位体を積み重ねることが可能となるので、嵩張ることなく箱類に収容でき、多数の単位体の保管・運搬が容易となる。
【図面の簡単な説明】
【００２８】
【図１】冷媒管Ｐの４５°の屈曲部を本発明に係る屈曲部保護カバーＣ1 で覆った状態の正面図である。
【図２】同じく斜視図である。
【図３】（ａ），（ｂ）は、それぞれ冷媒管Ｐの屈曲部を覆って保護する屈曲部保護カバーＣ1 を構成する計４個の単位体Ａ1a, Ａ1b, Ａ2a, Ａ2bの分解状態、及び組付状態の斜視図である。
【図４】（ａ），（ｂ）は、屈曲部保護カバーＣ1 を構成する単位体Ａ1a（Ａ1b, Ａ2a, Ａ2b）を異なる方向から見た斜視図である。
【図５】単位体Ａ1a（Ａ1b, Ａ2a, Ａ2b）の周方向に沿った一方の端部に形成された嵌合組付凸部２ａ，２ｂと嵌合組付凹部３ａ，３ｂとの配置関係を説明するために、当該端部を内側から見た部分展開図である。
【図６】複数の組付分割体Ｂを冷媒管Ｐの配設方向に沿って連結するために、当該組付分割体Ｂを構成する単位体Ａ1b, Ａ2b（Ａ1a, Ａ2a) の配設方向に沿った両端部に形成された半円弧状の係合突片２１と係合溝２２との係合構造を説明するための模式的部分展開図である。
【図７】半割屈曲円筒状をした同一形状の一対の単位体Ａ1a，Ａ1bの組付けにより屈曲円筒状の組付分割体Ｂが形成されることを示す図であって、（ａ）は、一対の単位体Ａ1a，Ａ1bを同一の向きで配置した斜視図であり、（ｂ）は、組付けのために、一方の単位体Ａ1aを１８０°反転させて対向配置した斜視図であり、（ｃ）は、一対の単位体Ａ1a，Ａ1bが組み付けられた組付分割体Ｂの斜視図である。
【図８】（ａ），（ｂ）は、それぞれ一対の単位体Ａ1a，Ａ1bの周方向の端部の係合構造を主体に示す組付け前後の斜視図である。
【図９】２つの組付分割体Ｂの係合連結部の構造を主体に示す連結前の分離状態の斜視図である。
【図１０】同じく連結されて屈曲部保護カバーＣ1 となった状態の斜視図である。
【図１１】屈曲部保護カバーＣ1 の側面図である。
【図１２】（ａ），（ｂ）は、それぞれ係合部を除く部分を省略した図１１のＸ1 −Ｘ1 線、及びＸ2 −Ｘ2 線の部分拡大断面図である。
【図１３】（ａ），（ｂ）は、それぞれ図１１のＹ1 −Ｙ1 線、及びＹ2 −Ｙ2 線の部分拡大断面図である。
【図１４】冷媒管Ｐの９０°の屈曲部を本発明に係る屈曲部保護カバーＣ2 で覆った状態の正面図である。
【図１５】多数個の単位体Ａを重ね合わせた状態の斜視図である。
【発明を実施するための形態】
【００２９】
以下、最良の実施例を挙げて、本発明について更に詳細に説明する。
【００３０】
図１ないし図３に示される屈曲部保護カバーＣ1 は、配線・配管材である冷媒管Ｐの屈曲部を覆って保護するカバーであって、屈曲円筒状をした２個の組付分割体Ｂを前記冷媒管Ｐの配設方向に沿って連結して形成され、当該組付分割体Ｂは、半割屈曲円筒状をした一対一組の単位体Ａ1a, Ａ1bを屈曲円筒状に組み付けて形成される。この結果、屈曲部保護カバーＣ1 は、最小単位部材である半割屈曲円筒状をした単位体Ａを、自身の周方向、及び軸心方向の双方に沿って組み付けたり、或いは連結することで形成されるため、当該単位体Ａが基本部材となる。
【００３１】
最初に、屈曲部保護カバーＣ1 を形成する最小単位部材である単位体Ａの構成について説明し、その後に、一対一組の当該単位体Ａ1a，Ａ1b（Ａ2a，Ａ2b）を周方向に沿って組み付けることで形成される組付分割体Ｂ、及び２個の当該組付分割体Ｂを屈曲軸心Ｊ0 （図１１参照）の方向に沿って連結することで形成される屈曲部保護カバーＣ1 について説明する。ここで、単位体の符号に関しては、当該単位体の「嵌合組付」又は「係合連結」を考慮しないで、或いは配置位置を特定しないで、一般的な説明を行う場合には、「Ａ」の基本符号を使用し、当該単位体どうしの配置位置を考慮して、当該単位体の「嵌合組付」又は「係合連結」を含めて説明する場合には、その配置位置を特定するために、「Ａ1a，Ａ1b, Ａ2a, Ａ2b」の配置位置を含めた符号を使用する。また、本明細書における「屈曲」とは、文字通り「折れ曲がった形状」のみならず、「わん曲された形状」を含む概念として用いている。
【００３２】
単位体Ａは、樹脂の射出成形品であって、図３ないし図７に示されるように、屈曲角度（θ）の屈曲円筒体の内外の各屈曲部が対称に二分割されるように、屈曲軸心Ｊ0 を含む平面で当該屈曲円筒体を二分割した形状であって、半割屈曲円筒状の単位体本体１の周方向の両端部に、一対一組の単位体Ａ1a，Ａ1b（Ａ2a, Ａ2b）を屈曲円筒状に組み付けるための嵌合組付凸部２ａ，２ｂ（４ａ，４ｂ）と、嵌合組付凹部３ａ，３ｂ（５ａ，５ｂ）とが屈曲軸心Ｊ0 の方向に沿って交互に形成されている。単位体Ａは、樹脂の射出成形品であるため、周方向の両端部で形成される開口の間隔（幅）が僅かに変化するように、弾性変形可能である。単位体本体１の肉厚をほぼ二分した場合において、前記した嵌合組付凸部２ａ，２ｂ（４ａ，４ｂ）と、嵌合組付凹部３ａ，３ｂ（５ａ，５ｂ）は、内側の肉厚が半分の部分に全て成形され、外側の肉厚が半分の部分は、それぞれ屈曲軸心Ｊ0 の方向に沿って連続した端面６ａ，６ｂとなっている。即ち、図４、図５、図１１及び図１２に示されるように、半割屈曲円筒状の単位体本体１の外側の屈曲部である周方向の一端部には、一般部のほぼ半分の肉厚を有する端面６ａに対して周方向に突出した２個の嵌合組付凸部２ａ，２ｂと、同じく周方向に入り込んだ２個の嵌合組付凹部３ａ，３ｂとが、屈曲軸心Ｊ0 の方向に沿って交互であって、しかも以下の「反転条件」を満たすように形成されている。単位体本体１の内側の屈曲部である周方向の他端部においても、嵌合組付凸部４ａ，４ｂと、嵌合組付凹部５ａ，５ｂ（図３参照）とが、同様にして交互に配置されている。なお、図８（ｂ）において、曲線Ｘ1 ，Ｘ2 は、図１１におけるＸ1 −Ｘ1 線、及びＸ2 −Ｘ2 線の破断位置を示す。
【００３３】
ここで、上記「反転条件」とは、図７に示されるように、同一形状の２個の単位体Ａを同一配置した状態〔図７（ａ）〕において、その一方の単位体Ａ1bのみを１８０°反転させる〔図７（ｂ）〕ことで、各単位体Ａ1a，Ａ1bの単位体本体１の周方向の一端部の嵌合組付凸部２ａ（２ｂ）と嵌合組付凹部３ａ（３ｂ）とが互いに嵌合すると共に、その他端部の嵌合組付凸部４ａ（４ｂ）と嵌合組付凹部５ａ（５ｂ）とが互いに嵌合することで、一対の単位体Ａ1a，Ａ1bの組み付けが可能となる〔図７（ｃ）〕条件であって、図５に示されるように、単位体Ａの周方向の両端部には、互いに嵌合組付が可能な嵌合組付凸部２ａ，２ｂ（４ａ，４ｂ）と嵌合組付凹部３ａ，３ｂ（５ａ，５ｂ）とは、嵌合組付部全体の全長Ｌ及び幅Ｗの双方の中点Ｋに対して点対称に配置されており、この関係を、「嵌合組付凸部と嵌合組付凹部の配置の点対称性」と称する。
【００３４】
図１１及び図１２に示されるように、単位体本体１の周方向の両端部に交互に形成された板状の嵌合組付凸部２ａ，２ｂ（４ａ，４ｂ）の肉厚、及び中空板状の嵌合組付凹部３ａ，３ｂ（５ａ，５ｂ）の深さは、いずれも単位体本体１の肉厚のほぼ半分となっていて、互いに嵌合することで、一般部と同一の肉厚が確保される構成になっている。なお、図１２において、ＤＦは、二分割構造の組付分割体Ｂ又は屈曲部保護カバーＣ1 の割面を示す。また、一対の単位体Ａ1a，Ａ1b（Ａ2a, Ａ2b）の各単位体本体１の周方向の両端部に交互に形成された嵌合組付凸部２ａ，２ｂ（４ａ，４ｂ）及び嵌合組付凹部３ａ，３ｂ（５ａ，５ｂ）の嵌合により、当該一対の単位体Ａ1a，Ａ1b（Ａ2a, Ａ2b）を屈曲円筒状に組み付けて組付分割体Ｂとした状態で、前記嵌合を確実にして各単位体Ａ1a，Ａ1b（Ａ2a, Ａ2b）の分離を防止するために、嵌合組付凸部２ａ（４ａ）の先端部の内面には、抜止突条７（８）が形成されていると共に、嵌合組付凹部３ａ（５ａ）の奥側には、前記抜止突条９（１１）が形成され、一対の単位体Ａ1a，Ａ1b（Ａ2a, Ａ2b）の組付け状態において、両抜止突条７，８（９，１１）が互いに係合することで、前記一対の単位体Ａ1a，Ａ1b（Ａ2a, Ａ2b）の周方向の両端部の嵌合が容易に解除されない構造になっている。なお、上記した嵌合組付時において、一対の単位体Ａ1a，Ａ1b（Ａ2a, Ａ2b）における周方向の両端部の抜止突条７，８（９，１１）の部分は、それぞれ内外に僅かに弾性変形されて嵌合組付される。
【００３５】
この結果、上記した嵌合構造によって、半割屈曲円筒状の一対の単位体Ａ1a，Ａ1b（Ａ2a, Ａ2b）の周方向の両端部が嵌合によって、当該一対の単位体Ａ1a，Ａ1b（Ａ2a, Ａ2b）が屈曲円筒状の組付分割体Ｂとして組み付けられると、図８及び図１２に示されるように、肉厚を二分した内側の部分において、一方の単位体Ａ1aの嵌合組付凸部２ａ，２ｂ（４ａ，４ｂ）が、他方の単位体Ａ1bの嵌合組付凹部３ａ，３ｂ（５ａ，５ｂ）に交互に入り込んで嵌合されることで、組付分割体Ｂの外周面においては、割面ＤＦが割線ＤＬとなって表れるのみである。
【００３６】
半割屈曲円筒状の一対の単位体Ａ1a，Ａ1b（Ａ2a, Ａ2b）を屈曲円筒状に組み付けることで組付分割体Ｂが形成される。複数個の組付分割体Ｂを屈曲軸心Ｊ0 の方向に沿って連結するために、図４、図１１及び図１３に示されるように、単位体Ａの屈曲軸心Ｊ0 の方向に沿った一方の半円弧状の端部には、肉厚をほぼ二分した場合において内側となる部分が当該屈曲軸心Ｊ0 の方向に突設されて半円弧状の係合突片２１が形成されていると共に、他方の半円弧状の端部には、肉厚を二分した場合において内側の肉部を欠落させることで、別の単位体Ａの係合突片２１を抜け出ないように嵌合可能とする半円弧状の係合溝２２が形成されている。半円弧状の係合突片２１及び係合溝２２は、いずれも周方向に沿って単位体Ａの周方向の両端面６ａ，６ｂとの干渉を回避するために、その手前側の部分まで形成されている。
【００３７】
従って、図７ないし図９に示されるように、同一配置された同一形状の一対の単位体Ａの一方を１８０°反転させて、一対の単位体Ａの周方向の両端部である屈曲部の外側どうし、及び内側どうしを上記した嵌合により屈曲円筒状に組み付けて、組付分割体Ｂを形成すると、当該組付分割体Ｂの屈曲軸心Ｊ0 の方向に沿った両端面には、位相が１８０°ずれた状態で、半円弧状の係合突片２１及び係合溝２２がそれぞれ配置される。
【００３８】
図９ないし図１１に示されるように、屈曲角度（θ）の２個の組付分割体Ｂを係合連結させると、屈曲角度（２θ）の屈曲部保護カバーＣ1 となる。なお、図１及び図１１において、Ｊ1 〜Ｊ3 は、それぞれ２個の組付分割体Ｂを係合連結させた屈曲部保護カバーＣ1 の一方の端面、２個の組付分割体Ｂの連結面、及び屈曲部保護カバーＣ1 の他方の端面における屈曲軸心Ｊ0 に対する接線を示す。屈曲角度（θ）の２個の組付分割体Ｂの連結側の各端面部には、位相が１８０°ずれた状態で、半円弧状の係合突片２１及び係合溝２２がそれぞれ形成されているため、各組付分割体Ｂの割線ＤＬを合致させた状態で、各組付分割体Ｂの連結端部を互いに押し付けると、各組付分割体Ｂの半円弧状の係合突片２１は、それぞれ他方の組付分割体Ｂの半円弧状の係合溝２２に挿入係合されることで、全周に亘って係合された状態で、２個の組付分割体Ｂが係合連結される。２個の組付分割体Ｂの係合連結が容易に解除されるのを防止するため、半円弧状の係合突片２１の周方向の両端部の外面であって、幅方向に沿って端面の側には、所定長の抜止突条２３が周方向に形成され、半円弧状の係合溝２２の周方向の両端部の内面であって、幅方向に沿って端面の側には、半円弧状の係合突片２１の抜止突条２３に対して屈曲方向Ｊ0 に沿って係合する所定長の抜止突条２４が周方向に形成されている。なお、各組付分割体Ｂの連結端部を互いに押し付けると、半円弧状の係合突片２１及び係合溝２２における抜止突条２３，２４の部分がそれぞれ内外に僅かに弾性変形することで、各組付分割体Ｂの半円弧状の係合突片２１は、それぞれ他方の組付分割体Ｂの半円弧状の係合溝２２に挿入係合される。
【００３９】
そして、半割屈曲筒状の同一形状の４個の単位体Ａを組み付けて、屈曲筒状の屈曲部保護カバーＣ1 とするには、図７に示されるように、同一配置の２個の単位体Ａの一方を１８０°反転させ、この状態で、一方の単位体Ａの周方向の一端部に形成された嵌合組付凸部２ａ，２ｂ（４ａ，４ｂ）を、他方の単位体Ａの一端部に形成された嵌合組付凹部３ａ，３ｂ（５ａ，５ｂ）にそれぞれ嵌合させて組み付けることで、屈曲筒状をした屈曲角度（θ）の組付分割体Ｂが形成される。組付分割体Ｂの状態では、全ての嵌合組付凸部２ａ，２ｂ（４ａ，４ｂ）は内側（内周面）に配置されて、組付分割体Ｂの外周面には、その屈曲部の外側及び内側に、割面ＤＦを形成する割線ＤＬが表れるのみである。組付分割体Ｂの両端面には、それぞれ周方向に沿った半分に、それぞれ半円弧状の係合突片２１と係合溝２２が形成され、組付分割体Ｂの両端面における半円弧状の係合突片２１及び係合溝２２の配置は、１８０°ずれている。
【００４０】
単位体Ａは、半割円筒状をしているために、その保管・運搬時に外力を受けて変形されることがあるが、一対の単位体Ａを屈曲円筒状に組み付けることで、個々の単位体Ａは、必然的に原形状に復元された状態で、組み付けられる。
【００４１】
図９に示されるように、割線ＤＬを合致させて２個の組付分割体Ｂの対向端面部を互いに押し付けると、１８０°位相が異なる位置に配置された各組付分割体Ｂの半円弧状の係合突片２１が、それぞれ他方の組付分割体Ｂの半円弧状の係合溝２２に挿入係合されると共に、各組付分割体Ｂの半円弧状の係合突片２１の周方向の両端部に形成された抜止突条２３と、他方の組付分割体Ｂの半円弧状の係合溝２２の周方向の両端部に形成された抜止突条２４とが、屈曲軸心Ｊ0 の方向に沿って引っ掛かった状態で係合することで、２個の組付分割体Ｂは、容易に外れない状態で係合連結されて、屈曲角度（２θ）の屈曲部保護カバーＣ1 が形成される。屈曲部保護カバーＣ1 の両端の開口は、直状の保護カバーＣ0 が接続される接続口３１（図３参照）になると共に、内部空間は、前後の直状の保護カバーＣ0 の配設経路と接続した冷媒管Ｐの配設経路（図３参照）となる。図示例では、θ＝２２．５°であるので、屈曲部保護カバーＣ1 の屈曲角度は、４５°となる。
【００４２】
図１及び図２に示される冷媒管Ｐの配管例は、建物壁面の障害物４１を避けて、近接した２箇所において、冷媒管Ｐを逆方向に４５°ずつ屈曲させて配管する場合において、当該冷媒管Ｐの２箇所の屈曲部を、本発明に係る屈曲部保護カバーＣ1 で覆って保護するものである。２つの屈曲部保護カバーＣ1 の間、及び上方の屈曲部保護カバーＣ1 と壁内に一部が差し込まれる９０°エルボ４２との間には、それぞれ短管直状の保護カバーＣ0 が配設され、斜下方の屈曲部保護カバーＣ1 の下端の接続口３１は、通常の直状の保護カバーＣ0 が接続される。直状の保護カバーＣ0 の端部は、屈曲部保護カバーＣ1 の接続口３１の内側に部分的に差し込まれて接続される。
【００４３】
また、本発明によれば、特定の屈曲角度（θ＝２２．５°）を有する組付分割体Ｂを接続数によって、屈曲部保護カバーの屈曲角度を変更することができ、例えば、図１４において、屈曲角度（θ＝２２．５°）の組付分割体Ｂを４個接続することで、即ち、同一形状の単位体Ａを特定数（８個）だけ使用することで、屈曲角度が９０°の屈曲部保護カバーＣ2 が形成される。なお図１４において，、Ａ3a, Ａ4aは、屈曲方向の下方から起算して、第３番目及び第４番目に連結された組付分割体Ｂを構成する単位体を示す。
【００４４】
本発明に係る屈曲部保護カバーＣ1 ，Ｃ2 の両端部には、直状保護カバーＣ0 の端部を内挿可能な接続口３１が形成されており、屈曲部保護カバーＣ1 ，Ｃ2 の屈曲軸心Ｊ0 のうち、当該接続口３１の所定長の屈曲軸心Ｊ0 を直線状に形成することで、即ち、屈曲部保護カバーＣ1 ，Ｃ2 の両端接続口３１の部分を、所定長だけ直円筒体（軸心が直線状の円筒体）の内周面のように、縦断面視で直線状の内周面に形成することで、屈曲部保護カバーＣ1 ，Ｃ2 の両端接続口３１に対する直状保護カバーＣ0 の内挿が容易であって、しかも内挿後においては、屈曲部保護カバーＣ1 ，Ｃ2 と直状保護カバーＣ0 との接続が安定する。
【００４５】
本発明に係る屈曲部保護カバーＣ1 ，Ｃ2 は、同一形状の４以上の偶数個の半割屈曲半円筒状をした単位体Ａを屈曲円筒状に組み付けて形成されているので、同一形状をした多数の単位体Ａは、図１５に示されるように、重ね合わせた状態で、梱包箱に収容できる。このため、多数の単位体Ａの保管・運搬時において、嵩張ることなく、最少スペースに収容できる。特に、一対一組の単位体Ａを最少重合単位として、互いに密着状態で重ね合わせ、各組の一対の単位体Ａは、少し空間を有して収容しておくと、一対一組の単位体Ａを即座に取り出して、その一方を反転させて、屈曲円筒状に組み付けることで、組付分割体Ｂを即座に組み付けることができる。
【００４６】
上記実施例では、単位体Ａは、半割屈曲円筒状であって、一対の単位体Ａを組み付けた組付分割体Ｂは、屈曲円筒状をなしているが、単位体の形状は、半割屈曲円筒状に限られず、例えば、半割屈曲角筒状であって、一対の単位体を組み付けた組付分割体は、屈曲角筒状をなしていてもよい。
【００４７】
一対一組の単位体Ａの周方向の両端部に屈曲軸心の方向に沿って交互に形成される嵌合組付凸部２ａ，２ｂ（４ａ，４ｂ）及び嵌合組付凹部３ａ，３ｂ（５ａ，５ｂ）の形状に介しては、段落「００３３」で定義した「嵌合組付凸部と嵌合組付凹部の配置の点対称性」を備えている限り、嵌合組付凸部２ａ，２ｂ（４ａ，４ｂ）及び嵌合組付凹部３ａ，３ｂ（５ａ，５ｂ）の各個数、及び屈曲軸心の方向に沿った長さは、自由に定められる。
【００４８】
上記実施例の一対一組の単位体Ａを組み付けて形成された組付分割体Ｂの屈曲軸心は、円弧状であるが、配線・配管材の屈曲部を収容して保護できる限り、多少屈曲していてもよい。
【００４９】
本発明に係る屈曲部保護カバーの上記用途は、エアコン用の冷媒管の屈曲部を収容して保護するものであるが、建物の外壁面に配置される排水管等の屈曲部を構成する屈曲継ぎ手を収容して覆うことも可能である。
【符号の説明】
【００５０】
Ａ：配置位置が不特定の単位体
Ａ1a，Ａ1b，Ａ2a, Ａ2b，Ａ3a，Ａ4a：配置位置が特定された単位体
Ｂ：組付分割体
Ｃ0 ：直状保護カバー
Ｃ1 ，Ｃ2 ：屈曲部保護カバー
ＤＦ：割面
ＤＬ：割線
Ｊ0 ：屈曲軸心
Ｋ：点対称の中心
Ｌ：嵌合組付部全体の全長
Ｐ：冷媒管（配線・配管材）
Ｗ：嵌合組付部の幅
θ：組付分割体の屈曲角度
１：単位体本体
２ａ，２ｂ：外側の屈曲部の嵌合組付凸部（嵌合組付部）
３ａ，３ｂ：外側の屈曲部の嵌合組付凹部（嵌合組付部）
４ａ，４ｂ：内側の屈曲部の嵌合組付凸部（嵌合組付部）
５ａ，５ｂ：内側の屈曲部の嵌合組付凹部（嵌合組付部）
６ａ：単位体の外側の屈曲部の端面
６ｂ：単位体の内側の屈曲部の端面
７：単位体の外側の屈曲部の嵌合組付凸部の抜止突条
８：単位体の外側の屈曲部の嵌合組付凹部の抜止突条
９：単位体の内側の屈曲部の嵌合組付凸部の抜止突条
１１：単位体の内側の屈曲部の嵌合組付凹部の抜止突条
２１：半円弧状の係合突片
２２：半円弧状の係合溝
２３：係合突片に設けられた抜止突条
２４：係合溝に設けられた抜止突条
３１：接続口
【図１】
0006529893.tif 000002
【図２】
0006529893.tif 000003
【図３】
0006529893.tif 000004
【図４】
0006529893.tif 000005
【図５】
0006529893.tif 000006
【図６】
0006529893.tif 000007
【図７】
0006529893.tif 000008
【図８】
0006529893.tif 000009
【図９】
0006529893.tif 000010
【図１０】
0006529893.tif 000011
【図１１】
0006529893.tif 000012
【図１２】
0006529893.tif 000013
【図１３】
0006529893.tif 000014
【図１４】
0006529893.tif 000015
【図１５】
0006529893.tif 000016